(57)【要約】      （修正有）【課題】装着時の保持力の低下が生じにくく、フィット感及び掛け心地に優れる眼鏡フレームを提供する。【解決手段】左右一対のレンズを支持する内側リム１１及び内側リム１１を連結するブリッジ１２を有した内側フレーム１０と、内側フレーム１０を支持する外側フロント枠２１の左右両端部に蝶番２２を介してテンプル２３が連結された外側フレーム２０と、を備える眼鏡フレームＡとし、さらに、外側フロント枠２１は、左右のテンプル２３がそれぞれ連結された左右一対の外側リム２１２と、内側フレーム１０のブリッジ１２に結合された結合枠部２１１と、結合枠部２１１と外側リム２１２の基端部とを連結し、かつ、結合枠部２１１に対して外側リム２１２の先端部を前方へ変位するよう弾性変形可能な湾曲部２１３ａを有する弾性変形部２１３と、を備える眼鏡フレーム。【選択図】図１Ａ
2020148872.tif 000002
【特許請求の範囲】
【請求項１】
左右一対のレンズを支持し、左右方向中央にブリッジを有する内側フレームと、
前記内側フレームを支持する外側フロント枠の左右両端部に蝶番を介してテンプルが連結された外側フレームと、
を備えた眼鏡フレームであって、
前記外側フロント枠は、前記テンプルがそれぞれ左右方向の外側端部に連結された左右一対の外側リムと、前記内側フレームの前記ブリッジに結合された結合部と、前記結合部と前記外側リムの左右方向の中央側端部とを連結し、かつ、前記結合部に対して前記外側リムの前記外側端部が装着時の視線の方向である前方へ変位するよう弾性変形可能な湾曲部を有する弾性変形部と、を備える眼鏡フレーム。
【請求項２】
請求項１に記載の眼鏡フレームにおいて、
前記結合部は、前記ブリッジの後側に設けられ、
前記湾曲部は、前記結合部から斜め後方に延び、かつ、斜め前外方を内側とする湾曲形状に形成されている眼鏡フレーム。
【請求項３】
請求項２に記載の眼鏡フレームにおいて、
前記外側リムは、前記内側フレームの前方に配置され、
前記弾性変形部は、前記湾曲部と前記外側リムとを前記ブリッジを跨いで連結する連結部を備える眼鏡フレーム。
【請求項４】
請求項３に記載の眼鏡フレームにおいて、
前記結合部及び前記湾曲部が、前記ブリッジの後方位置で、前記ブリッジと同じ高さに配置され、
前記連結部は、前記湾曲部から下方に延びる縦枠部と、縦枠部の下端から前方に延びて前記外側リムに結合される前後枠部と、を備える眼鏡フレーム。
【請求項５】
請求項３又は請求項４に記載の眼鏡フレームにおいて、
前記連結部は、左右方向で前記外側リムと重なって前記外側リムの後方に配置されている眼鏡フレーム
【発明の詳細な説明】
【技術分野】
【０００１】
本開示は、眼鏡フレームに関するものである。
【背景技術】
【０００２】
従来、眼鏡フレームは、レンズを支持するフロント部と、フロント部の両端部に蝶番を介して連結されたテンプルと、を備えたものがよく知られている（例えば、特許文献１参照）。この従来の眼鏡フレームでは、眼鏡の装着のためにテンプルを開いた際に、フロント部が変形するとレンズに無理な応力が作用するおそれがあるため、このような不具合が生じないようフロント部を強固に形成し、弾性変形する部分をテンプルを連結するヨロイ部に設けている。
【０００３】
具体的には、フロント部の中央に形成される連結部に、正面側へ突出する表側連結片と背面側へ突出する裏側連結片を設け、ツルを外方向へ押し開いた場合に連結部が変形し難いようにしている。また、眼鏡フレームの左右のテンプルの間隔を、頭部への装着時の間隔よりも左右に広げた場合に、弾性変形部分を、テンプルの基端側のヨロイ部に有している。
【先行技術文献】
【特許文献】
【０００４】
【特許文献１】特開２０１６−９０９５３号公報
【発明の概要】
【発明が解決しようとする課題】
【０００５】
しかしながら、テンプルの近傍に弾性変形部が配置されていると、弾性変形部における変形代が相対的に大きくなり、経時的に弾性力が低下し、装着時の保持力が低下するおそれがある。
【０００６】
さらに、テンプルや、その近傍に弾性変形部が配置されている構造では、テンプルの間隔を大きく広げて装着した場合、弾性変形部よりもテンプルの先端側の広がり方向の傾斜角度が大きくなる。このような場合には、テンプルが、頭部に対して例えば点接触状態のように当接代を十分に確保できないおそれがある。この場合、相対的に当接代が大きい場合と比較して、フィット感に劣り、良好な掛け心地を得ることができない。
【０００７】
また、テンプルや、その近傍に弾性変形部が配置されている場合、テンプルへの入力位置と弾性変形部との距離が短く、テンプルに作用する応力が大きくなり、テンプルの間隔を広げる方向に経時的な塑性変形が生じるおそれがある。この場合も、装着時の保持力の低下を招く。
【０００８】
そこで、本開示は、装着時の保持力の低下が生じにくく、フィット感及び掛け心地に優れる眼鏡フレームを提供することを目的としている。
【課題を解決するための手段】
【０００９】
本開示の眼鏡フレームは、左右一対のレンズを支持し、左右方向中央にブリッジを有する内側フレームと、前記内側フレームを支持する外側フロント枠の左右両端部に蝶番を介してテンプルが連結された外側フレームと、を備えた眼鏡フレームである。
さらに、前記外側フロント枠は、前記テンプルがそれぞれ左右方向の外側端部に連結された左右一対の外側リムと、前記内側フレームの前記ブリッジに結合された結合部と、前記結合部と前記外側リムの左右方向の中央側端部とを連結し、かつ、前記結合部に対して前記外側リムの前記外側端部が装着時の視線の方向である前方へ変位するよう弾性変形可能な湾曲部を有する弾性変形部と、を備える。
【発明の効果】
【００１０】
本開示の眼鏡フレームでは、左右のテンプルの間隔を広げた際には、弾性変形部の湾曲部が変形し、外側リムの左右方向外側端部が前方に変位することで、テンプルの間隔が広がる。このとき、弾性変形部は、外側フロント枠に設けられているため、テンプルを広げる際の入力は、レンズを支持する内側フレームには殆ど伝達されることがない。このため、内側フレームにおいてレンズとの間で、相対位置が変化するようなレンズへの悪影響が生じにくい。
【００１１】
さらに、弾性変形部が外側リムよりもさらにブリッジ側に位置し、テンプルは、この弾性変形部を中心として変位するため、弾性変形部がテンプルに設けられている場合よりも、少ない変形代でテンプル同士の間隔を広げることができる。よって、弾性変形部における経時的な弾性力低下を抑制し、装着時の保持力低下を抑制できる。加えて、テンプルの間隔を広げた際のテンプルの水平方向の傾斜角度を抑えることができる。これにより、テンプルの傾斜角度が大きい場合と比較して、装着者の頭部へのテンプルの当接代を大きく確保でき、フィット感に優れ、良好な掛け心地を得ることができる。特に、弾性変形部は、湾曲部により弾性変形させるようにしたため、弾性変形部をコンパクトに形成し、外側リムの中央側端部の位置を、より中央に配置することができる。これにより上記のテンプルの傾斜角度を抑える効果を、より確実に得ることができる。
【００１２】
また、テンプルの間隔を広げた際のテンプルへの入力位置と弾性変形部との距離を相対的に長くできるため、テンプルに作用する応力を小さく抑え、経時的な塑性変形がテンプルの間隔を広げる方向に生じるのを抑えることができる。よって、この点でも、装着時の保持力の低下を抑制できる。
【図面の簡単な説明】
【００１３】
【図１Ａ】実施の形態１の眼鏡フレームＡの装着時のテンプル２３を開いた状態を示す平面図である。
【図１Ｂ】実施の形態１の眼鏡フレームＡにおけるテンプル２３の側面図である。
【図１Ｃ】実施の形態１の眼鏡フレームＡのテンプル２３を開いた状態からさらにテンプルの間隔を広げた状態の平面図である。
【図２Ａ】実施の形態１の眼鏡フレームＡの正面図である。
【図２Ｂ】実施の形態１の眼鏡フレームＡの背面図である。
【図３Ａ】実施の形態１の眼鏡フレームＡにおける結合枠部２１１及び弾性変形部２１３を示す背面図である。
【図３Ｂ】実施の形態１の眼鏡フレームＡにおける結合枠部２１１及び弾性変形部２１３を示す側面図である。
【図４Ａ】実施の形態１の眼鏡フレームＡを斜め前方下方向から見た斜視図である。
【図４Ｂ】実施の形態１の眼鏡フレームＡを斜め後方上方向から見た斜視図である。
【発明を実施するための形態】
【００１４】
以下、本発明の実施の形態について図面を参照して説明する。
（実施の形態１）
図１Ａは、実施の形態１の眼鏡フレームＡの平面図であり、この眼鏡フレームＡは、内側フレーム１０と外側フレーム２０とを備える。
【００１５】
内側フレーム１０は、左右一対のレンズ３０、３０（図２Ａ参照）を支持するもので、金属製（例えば、純チタン製）であり、かつ、レンズ３０、３０を支持する左右一対の内側リム１１、１１と、左右方向の中央で両内側リム１１、１１を連結するブリッジ１２と、を備える。なお、本明細書中の方向は、装着時の頭部の方向を基準とし、各図において矢印Ｌに沿う方向を左方向、矢印Ｒに沿う方向を右方向、矢印ＦＲに沿う方向を前方、矢印ＲＲに沿う方向を後方、矢印ＵＰに沿う方向を上方、矢印ＤＮに沿う方向を下方とする。
【００１６】
内側リム１１は、本実施の形態１では、図２Ｂの背面図に示すように、レンズ３０の外周の一部を囲む略Ｃ字形状に形成されている。すなわち、内側リム１１は、レンズ３０において、その上縁部のブリッジ１２側である中央側（装着時の頭部の中央）の略半分と、下側縁部の左右方向全体を覆う形状に形成されている。なお、内側リム１１は、レンズ３０の全周を囲むフルリムタイプとしてもよい。また、本実施の形態１のように、レンズ３０の一部を囲む形状とする場合でも、本実施の形態１とは異なり、レンズ３０の上縁部のみ、あるいは下縁部のみを囲むハーフリムタイプとしてもよい。
【００１７】
また、ブリッジ１２は、図１Ａに示すように、前方に向かって凸状に折曲された凸部１２ａを備える。さらに、内側リム１１には、ブリッジ１２の下方位置に、ノーズパッド１３（図２Ａ参照）が、脚部（不図示）を介して設けられる。なお、ノーズパッド１３は、図２Ａ以外の図では、図示を省略している。
【００１８】
外側フレーム２０は、内側フレーム１０に連結されて内側フレーム１０を支持しており、外側フロント枠２１、蝶番２２、２２、テンプル２３、２３を備える。
【００１９】
外側フロント枠２１は、結合枠部２１１と、外側リム２１２、２１２と、弾性変形部２１３、２１３と、鎧部２１４、２１４と、を備える。結合枠部２１１は、左右方向の中央に設けられ、弾性変形部２１３、２１３は、結合枠部２１１の左右端部に結合されている。外側リム２１２、２１２は、弾性変形部２１３、２１３の左右方向の外側端部に結合されている。鎧部２１４、２１４は、外側リム２１２、２１２の左右方向の外側端部に設けられている。そして、結合枠部２１１が、内側リム１１に結合され、鎧部２１４にテンプル２３、２３が連結されている。
【００２０】
結合枠部２１１は、左右に延びる矩形断面の棒状に形成され、前面を、内側フレーム１０のブリッジ１２の後面に溶接により結合されている。なお、結合枠部２１１は、上下方向寸法が、ブリッジ１２よりも小さな寸法に形成されている。したがって、頭部に装着状態の眼鏡フレームＡを前方から見た場合は、図２Ａに示すように、結合枠部２１１がブリッジ１２に隠れて外観に現れない。また、この結合枠部２１１とブリッジ１２との結合は、溶接に限らず、ねじ等の他の手段を用いてもよい。
【００２１】
外側リム２１２は、前方から見て、上方に凸状の緩やかな湾曲形状に形成され、かつ、レンズ３０の上縁部及び内側リム１１の上縁に沿って僅かな間隔を介在させて設けられている。また、外側リム２１２は、図１Ａに示すように、レンズ３０及び内側リム１１と、前後方向で重なる位置でその上方に配置されている。そして、図２Ａの正面図に示すように、前方から見た際に、一見すると、外側フロント枠２１の外側リム２１２と内側リム１１とにより、レンズ３０の全周を囲むフルフレームタイプのフレームの外観が得られるように形成されている。なお、外側リム２１２は、図示のような上方に凸状の湾曲形状に限られるものではない。例えば、外側リム２１２を、直線状に形成することができる。また、直線状や湾曲形状にかかわらず、テンプル２３に近付くにつれて上に上がるように傾斜した形状等にも形成することができ、要は、内側リム１１とバランスの取れたデザインとなる形状であればよい。
【００２２】
さらに、外側リム２１２は、図１Ａに示すように、左右方向で中央側の略半分は、前後方向の幅寸法が相対的に小さく形成され、左右方向で外側の半分は、前後方向の幅寸法が相対的に大きく形成されている。したがって、眼鏡フレームＡを、上方から見た際に、左右方向で中央側の略半分では、外側リム２１２に隠れることなく、内側リム１１が外観に現れるのに対し、左右方向で外側の半分では、レンズ３０が外側リム２１２に隠れる。これにより、上方から見た場合も、内側リム１１と外側リム２１２とが一体的な外観が得られる構造となっている。
【００２３】
結合枠部２１１の左右両端部と一対の外側リム２１２、２１２の左右方向で中央側端部（これを外側リム２１２の基端部とする）とは、弾性変形部２１３、２１３により連結されている。この弾性変形部２１３は、湾曲部２１３ａと、連結部２１３ｂとを備える。
【００２４】
図３Ａは、結合枠部２１１及び弾性変形部２１３、２１３を後方から見た背面図であり、図３Ｂは結合枠部２１１及び弾性変形部２１３、２１３の側面図である。
【００２５】
図３Ａ、図３Ｂに示すように、弾性変形部２１３において、湾曲部２１３ａは、結合枠部２１１の左右方向の端部に一体に連続して形成され、結合枠部２１１から斜め後方に延び、かつ、斜め前方を内側とした湾曲形状に形成されている。なお、湾曲部２１３ａは、上下方向の高さが、ブリッジ１２と略同じ高さに配置され、正面から見た際にブリッジ１２の後方に隠れるように配置されている。
【００２６】
連結部２１３ｂは、縦枠部２１３ｃと前後枠部２１３ｄとを備える。縦枠部２１３ｃは、図３Ｂに示すように、湾曲部２１３ａの左右方向の外側の端部から下方に延びて設けられている。なお、縦枠部２１３ｃは、正面から見た際に、外側リム２１２の後方に隠れるように外側リム２１２に沿う形状に形成されている。
【００２７】
前後枠部２１３ｄは、縦枠部２１３ｃの下端から、ブリッジ１２の下方を前方に延びて外側リム２１２の後面に連結されている（図４Ａ、図４Ｂ参照）。すなわち、前後枠部２１３ｄは、ブリッジ１２よりも後方に位置する結合枠部２１１及び湾曲部２１３ａと、内側フレーム１０よりも前方に位置する外側リム２１２とを連結する。
【００２８】
鎧部２１４は、図１Ａ及び図２Ａに示すように、外側リム２１２の左右方向で外側端部（これを以下、外側リム２１２の先端部とする）から外方及び斜め後方に突出して外側リム２１２の先端部と一体に設けられている。そして、この鎧部２１４に、蝶番２２を介して、テンプル２３が設けられている。このテンプル２３は、蝶番２２を中心として、図１Ａに示すように開いた状態と、レンズ３０、３０に重なった図示を省略した折り畳み状態とに水平方向に回動可能に支持されている。また、テンプル２３の先端側は、モダン２３ａにより覆われている。
【００２９】
次に、弾性変形部２１３の弾性変形について説明する。結合枠部２１１及び弾性変形部２１３、２１３は、金属（例えば、ベータチタン）により形成されている。そして、結合枠部２１１は、ブリッジ１２に溶接されていることで、ブリッジ１２を補強し、かつ、結合枠部２１１も、ブリッジ１２と一体的な剛性となる。
【００３０】
湾曲部２１３ａは、その形状による弾性の設定により、内側フレーム１０、外側リム２１２、鎧部２１４、テンプル２３よりも高い弾性を有し、外側リム２１２がその先端を前方に変位することを可能とする。すなわち、湾曲部２１３ａの弾性は、湾曲部２１３ａの素材に基づく剛性（弾性）に加え、湾曲形状と、前後方向の幅寸法と、上下方向の厚み寸法に基づいて、最適の弾性となるように予め設定する。
【００３１】
したがって、図１Ａに示す状態からテンプル２３、２３を左右方向で外側に開いた場合に、相対的に弾性が高い湾曲部２１３ａが、その湾曲を狭める方向に弾性変形する。これにより、外側リム２１２、２１２が、それぞれ、先端部を前方に変位し、テンプル２３、２３は、図１Ｃに示すように、後端同士の間隔が広がるよう水平方向の角度を変化させる。
【００３２】
（実施の形態１の作用）
次に、実施の形態１の作用を説明する。
一般的に、テンプル２３は、モダン２３ａの変形に基づいて、装着者の頭部に沿うよう内側へ湾曲させ（図１Ａ参照）、かつ、ノーズパッド１３、１３を装着者の鼻に当てた状態で、テンプル２３が耳に掛るように、下方へ湾曲させて（図１Ｂ参照）形状を調整する。
【００３３】
そして、実施の形態１の眼鏡フレームＡを装着する際には、テンプル２３、２３を図１Ａに示すように開いて耳に掛けるが、この装着の際に、テンプル２３、２３同士の間隔を一旦広げる場合がある。この場合、外側フレーム２０の弾性変形部２１３の湾曲部２１３ａが弾性変形して、外側リム２１２の先端部が前方に変位し、テンプル２３、２３の間隔が広がる。図１Ｃは、このように湾曲部２１３ａを弾性変形させてテンプル２３、２３の間隔を左右方向に広げた状態を示しており、この場合、テンプル２３、２３自体は、殆ど弾性変形することなく、相互の間隔を広げることができる。
【００３４】
したがって、テンプル２３、２３の間隔を左右方向に広げた際に、弾性変形部がテンプル２３の途中や鎧部２１４の近傍に設けられている場合と比較して、先端位置を同一位置とした場合のテンプル２３の水平方向への傾斜角度を抑えることができる。よって、テンプル２３の傾斜角度が大きい場合と比較してテンプル２３における頭部との当接代を確保でき、良好なフィット感及び良好な掛け心地を得ることができる。
【００３５】
また、テンプル２３の変位の中心である弾性変形部２１３とテンプル２３の後端との距離は、弾性変形部をテンプル２３の中間や鎧部２１４の近傍に設けた場合と比較して長くなる。したがって、テンプル２３、２３の間隔を広げた場合に、弾性変形部２１３の変形代は、テンプル２３の中間で変形させた場合と比較して、少ない変形量で済む。この結果、経時的な弾性力低下を抑制し、装着時の保持力低下を抑制できる。
【００３６】
特に、本実施の形態１では、弾性変形部２１３は、外側リム２１２の基端部であって、ブリッジ１２の左右端部の近傍に位置し、左右方向でテンプル２３、２３から大きく離れている。このため、例えば、鎧部２１４の近傍や、外側リム２１２の中間位置等で変形させた場合と比較しても、テンプル２３、２３の水平方向の傾斜角度をさらに抑えることができる。よって、このようなものと比較しても、良好なフィット感及び掛け心地を得ることができるとともに、経時的な弾性力低下を抑制し、装着時の保持力低下を抑制できる。加えて、テンプル２３、２３の間隔を広げた際のテンプル２３、２３への入力位置と弾性変形部２１３との距離が長いため、テンプル２３、２３に作用する応力を小さく抑えることができる。これにより、経時的な塑性変形がテンプル２３、２３の間隔を広げる方向に生じるのを抑えることができ、この点でも、装着時の保持力の低下を抑制できる。
【００３７】
さらに、テンプル２３、２３の間隔を広げるために弾性変形部２１３を変形させた際に、外側フレーム２０は、レンズ３０、３０を支持する内側フレーム１０とは別体であるため、両テンプル２３、２３を広げる際の入力は、内側フレーム１０に殆ど伝達されない。よって、テンプル２３への入力により、レンズ３０が本来とは逆の中央を向くような角度変化が生じたり、レンズ３０に無理な力が作用したりすることが無い。加えて、本実施の形態１では、外側フレーム２０の結合枠部２１１が、内側フレーム１０のブリッジ１２と溶接により接合されているため、ブリッジ１２は、ブリッジ１２のみの場合よりも剛性が高くなっている。したがって、ブリッジ１２に負荷が伝達されても、その変形を抑えて、レンズ３０、３０に負荷が伝達されることによる影響を抑えることができる。
【００３８】
また、眼鏡フレームＡの装着時には、正面から見た際には、内側フレーム１０の内側リム１１と外側フレーム２０の外側フロント枠２１とは、両者でレンズ３０を囲むように一体的に見える外観が得られる。したがって、１つの枠で囲むよりもデザインのバリエーションが増え、高いデザイン性を得ることができる。
【００３９】
加えて、弾性変形部２１３の湾曲部２１３ａは、ブリッジ１２の後方に配置し、縦枠部２１３ｃは、外側リム２１２の後方に配置し、正面から見えないようにした。したがって、これらが正面から見える場合と比較して、すっきりとした良好な外観を得ることができる。さらに、ブリッジ１２は、結合枠部２１１と湾曲部２１３ａとの形状と沿うように、凸形状としているため、単に左右方向に直線状に形成した場合と比較して、剛性の向上を図ることができる。また、湾曲部２１３ａを、ベータチタンにより形成したものは、高い剛性を有し、弾性変形を可能としつつ強度を確保できる。
【００４０】
（実施の形態１の効果）
以下に、実施の形態１の効果を列挙する。
（１）実施の形態１の眼鏡フレームＡは、左右一対のレンズ３０、３０を支持し、左右方向中央にブリッジ１２を有する内側フレーム１０と、内側フレーム１０を支持する外側フロント枠２１の左右両端部に蝶番２２、２２を介してテンプル２３、２３が連結された外側フレーム２０と、を備える。さらに、外側フロント枠２１は、左右のテンプル２３、２３がそれぞれ連結された左右一対の外側リム２１２、２１２と、内側フレーム１０のブリッジ１２に結合された結合枠部２１１と、結合枠部２１１と外側リム２１２の基端部とを連結し、かつ、結合枠部２１１に対して外側リム２１２の先端部が前方へ変位するよう弾性変形可能な湾曲部２１３ａを有する弾性変形部２１３と、を備える。
【００４１】
したがって、弾性変形部２１３が外側フロント枠２１に設けられているため、テンプル２３、２３を広げる際の入力は、レンズ３０を支持する内側フレーム１０には殆ど伝達されることがない。このため、内側フレーム１０（内側リム１１）とレンズ３０との間で、相対位置が変化するようなレンズ３０への悪影響が生じにくい。
【００４２】
さらに、弾性変形部２１３が外側リム２１２の基端部よりも左右方向で中央側に位置するため、弾性変形部２１３がテンプル２３や鎧部２１４の近傍に設けられている場合よりも、少ない変形代でテンプル２３、２３同士の間隔を広げることができる。よって、弾性変形部２１３における経時的な弾性力低下を抑制し、装着時の保持力低下を抑制できる。
【００４３】
加えて、テンプル２３、２３の間隔を広げた場合の、テンプル２３、２３の水平方向の傾斜角度を抑えることができ、これにより、装着者の頭部への当接代を確保できる。よって、相対的にテンプル２３の当接代が小さい場合と比較して、フィット感に優れ、良好な掛け心地を得ることができる。特に、弾性変形部２１３は、湾曲部２１３ａにより弾性変形させるようにしたため、弾性変形部２１３の弾性変形を行う部分を直線状に形成したものと比較して、弾性変形部２１３の水平方向の寸法を抑えてコンパクトに形成することができる。これにより、テンプル２３、２３の間隔を広げた際の、上記のテンプル２３の傾斜角度を抑える効果を、より確実に得ることができる。
【００４４】
また、弾性変形部位をテンプル２３の途中や鎧部２１４の近傍に設けたものと比較して、テンプル２３、２３の間隔を広げた際のテンプル２３への入力位置と弾性変形部２１３との距離が長くなる。このため、テンプル２３に作用する応力を小さく抑え、経時的な塑性変形がテンプル２３の間隔を広げる方向に生じるのを抑えることができる。よって、この点でも、装着時の保持力の低下を抑制できる。
【００４５】
（２）実施の形態１の眼鏡フレームＡは、結合枠部２１１は、ブリッジ１２の後側に設けられ、湾曲部２１３ａは、結合枠部２１１から斜め後方に延び、かつ、斜め前外方を内側とする湾曲形状に形成されている。
したがって、ブリッジ１２の後方の装着者の頭部との間のスペースにコンパクトに湾曲部２１３ａを含む弾性変形部２１３を配置しつつ、所望の弾性を得ることができる。
【００４６】
（３）実施の形態１の眼鏡フレームＡは、外側リム２１２は、内側フレーム１０の前方に配置され、弾性変形部２１３は、湾曲部２１３ａと外側リム２１２とをブリッジ１２を跨いで連結する連結部２１３ｂを備える。
【００４７】
したがって、湾曲部２１３ａにおいて必要な前後方向の寸法を、ブリッジ１２の後方位置に確保しつつ、外側リム２１２の変位に必要なスペースを内側リム１１の前方に確保し、全体の前後方向寸法をコンパクトに納めることができる。
【００４８】
（４）実施の形態１の眼鏡フレームＡは、結合枠部２１１及び湾曲部２１３ａが、ブリッジ１２の後方位置で、ブリッジ１２と同じ高さに配置され、連結部２１３ｂは、湾曲部２１３ａから下方に延びる縦枠部２１３ｃと、縦枠部２１３ｃの下端から前方に延びて外側リム２１２に結合される前後枠部２１３ｄと、を備える。
【００４９】
したがって、結合枠部２１１をブリッジ１２の後方に隠すことができ、外観性に優れたデザインとするとともに、湾曲部２１３ａをブリッジ１２の後方に配置しつつ、ブリッジ１２を避けて、湾曲部２１３ａと外側リム２１２とを連結することができる。
【００５０】
（５）実施の形態１の眼鏡フレームＡは、連結部２１３ｂは、左右方向で外側フロント枠２１の外側リム２１２と重なって外側リム２１２の後方に配置されている。
したがって、眼鏡フレームＡを正面から見た際に、連結部２１３ｂを外側リム２１２の後方に隠すことができ、外観に優れる。
【００５１】
以上、図面を参照して、実施の形態を詳述してきたが、具体的な構成は、この実施の形態に限らず、本発明の要旨を逸脱しない程度の設計的変更は、本発明に含まれる。
【００５２】
例えば、実施の形態では、内側フレームとして、レンズ３０の外周縁部を支持する内側リム１１を備えたものを示したが、これに限定されず、内側リム１１を備えずレンズに穴を開けて直接固定するタイプのものにも適用できる。また、内側リム１１を有するものであっても、内側リム１１の形状は、実施の形態で示した形状に限定されるものではなく、要は、レンズ３０を支持し、ブリッジ１２に連結されてものであればよい。また、内側フレーム１０、外側フレーム２０及びテンプル２３の材質も実施の形態で示したチタンに限られるものではなく、チタン以外の金属や、部位によっては、樹脂等金属以外のものを用いてもよい。
【００５３】
外側フロント枠２１において結合枠部２１１は、ブリッジ１２に隠れる枠状のものを示したが、その形状は枠状に限らず、例えば、板状やリング状等必要な剛性に応じて任意の形状とすることができる。また、結合枠部２１１は、ブリッジ１２の後側に設けたが、ブリッジ１２の上側や下側に設けることもできる。さらに、弾性変形部２１３の弾性変形を行う部位として湾曲部２１３ａを示したが、必要な弾性が得られるのであれば、その形状は実施の形態で示した形状に限定されるものではなく、例えば、いわゆる逆アール形状等の他の湾曲形状としてもよい。
【００５４】
さらに、実施の形態では、外側フレーム２０の外側リム２１２を、内側リム１１と上下方向で重なる高さに配置したことから、外側リム２１２の前方への変位を許容すべく、外側リム２１２を内側リム１１の前方に配置した。このため、弾性変形部２１３は、弾性変形を行う湾曲部２１３ａと外側リム２１２とを連結する連結部２１３ｂを備えた構造とした。しかしながら、例えば、外側リム２１２を、内側リム１１よりも上方に配置した場合、外側リム２１２が内側リム１１よりも後方に位置しても変位時に内側リム１１と干渉しない。このような構造の場合は、連結部を用いることなく、湾曲部を直接外側リム２１２に結合する構造としてもよい。この場合、湾曲部が弾性変形部となる。さらに、本実施の形態のように、外側リム２１２と内側リム１１とを同じ高さで前後に配置とした場合であっても、ブリッジ１２側に、弾性変形部２１３との干渉を避ける形状を設けることができる。この場合は、連結部は、実施の形態で示したようなブリッジ１２を避ける形状とすることなく、湾曲部２１３ａから真っすぐに前方に延びる形状等、実施の形態で示したものとは異なる形状とすることができる。
【符号の説明】
【００５５】
１０   内側フレーム
１１   内側リム
１２   ブリッジ
２０   外側フレーム
２１   外側フロント枠
２２   蝶番
２３   テンプル
３０   レンズ
２１１ 結合枠部
２１２ 外側リム
２１３ 弾性変形部
２１３ａ      湾曲部
２１３ｂ      連結部
２１３ｃ      縦枠部
２１３ｄ      前後枠部
２１４ 鎧部
Ａ     眼鏡フレーム
【図１Ａ】
2020148872.tif 000003
【図１Ｂ】
2020148872.tif 000004
【図１Ｃ】
2020148872.tif 000005
【図２Ａ】
2020148872.tif 000006
【図２Ｂ】
2020148872.tif 000007
【図３Ａ】
2020148872.tif 000008
【図３Ｂ】
2020148872.tif 000009
【図４Ａ】
2020148872.tif 000010
【図４Ｂ】
2020148872.tif 000011